(57)【要約】【課題】家屋等の玄関に建付けられる玄関ドアおよびその製造方法を提供することを目的とする。【解決手段】本発明の玄関ドアＤは、ドア本体１と、断面が略弧状の複数の窪みが並存して形成されたスプーンカット模様の模様部と該ドア本体の表面に当接する組付部とを具備する鋼製の化粧パネルとを備えることを特徴とする。また、本発明に係る玄関ドアＤの製造方法は、最表面に保護層が形成された鋼板をプレス成形して断面が略弧状の複数の窪みが並存して形成されたスプーンカット模様を有する化粧パネルを得る成形工程と、該化粧パネルに芯材を組み付ける芯材組付工程と、該芯材が組み付けられた該化粧パネルをドア本体に組み付けるパネル組付工程とを備えることを特徴とする。スプーンカット模様が形成された化粧パネルを備えることにより、高い意匠性を発揮する。また、化粧パネルが鋼製であるため耐久性にも優れた玄関ドアを提供できる。【選択図】図１
2015200162.tif 000002
【特許請求の範囲】
【請求項１】
ドア本体と、
断面が略弧状の複数の窪みが並存して形成されたスプーンカット模様の模様部と該ドア本体の表面に当接する組付部とを具備する鋼製の化粧パネルと、
を備えることを特徴とする玄関ドア。
【請求項２】
さらに前記化粧パネルは、前記ドア本体と該化粧パネルの間に介在する芯材を具備する請求項１に記載の玄関ドア。
【請求項３】
前記芯材が紙製ハニカム構造である請求項２に記載の玄関ドア。
【請求項４】
前記化粧パネルが複数枚に分割されていることを特徴とする請求項１〜３のいずれかに記載の玄関ドア。
【請求項５】
最表面に保護層が形成された鋼板をプレス成形して断面が略弧状の複数の窪みが並存して形成されたスプーンカット模様を有する化粧パネルを得る成形工程と、
該化粧パネルに芯材を組み付ける芯材組付工程と、
該芯材が組み付けられた該化粧パネルをドア本体に組み付けるパネル組付工程と、
を備えることを特徴とする玄関ドアの製造方法。
【発明の詳細な説明】
【技術分野】
【０００１】
本発明は家屋等の玄関に建付けられる玄関ドアおよびその製造方法に関する。
【背景技術】
【０００２】
家屋等の玄関ドアの構造材料には、耐久性及び耐火性等の良い鋼材が適している。しかし、玄関ドアは通常の場合建物の正面に位置して家屋全体の雰囲気に大きな影響を与えるため、無機質な鋼製ドアに比べて自然感および暖か味を感じる木製のドアが好まれる傾向がある。そこで、鋼板に直接木目模様を印刷したり、木目模様のシートが貼り付けられてなる木調鋼製ドア構成が特許文献１で提供されている。
【０００３】
また、特許文献２〜４には、金属板に意匠的な凹凸を形成するために、金属板の上に形成したポリエステル等からなる樹脂層または積層樹脂シートにエンボス加工を施した化粧板、ドアおよびエンボス意匠シート被覆金属板が提供されている。
【先行技術文献】
【特許文献】
【０００４】
【特許文献１】特開２０００−４５６４５号公報
【特許文献２】特開平１１−２４５３３７号公報
【特許文献３】特開２００４−３１６３７０号公報
【特許文献４】特開２００６−９５８９２号公報
【発明の概要】
【発明が解決しようとする課題】
【０００５】
特許文献１に記載の木目模様の鋼製ドアに対して、さらに職人が木材表面を掘り込んで製作したような陰影が美しく表情豊かなドアが望まれている。例えば、スプーンで木材表面を削り取ったような丸みを帯びた窪み形状が並存して形成されたスプーンカット模様のドアがその一つである。しかし、請求項２〜４に記載の１ｍｍにも満たない樹脂層または積層樹脂シート等にエンボス加工を施す手段では、くっきりと陰影が出る程の凹凸形状は形成できない。本発明は、このような実情に鑑みてなされたものであって、家屋の玄関ドアに好適な特性を持つ鋼材からなり、木材らしい表面加工形状の玄関ドアを提供することを目的とする。
【課題を解決するための手段】
【０００６】
本発明者はこの課題を解決すべく鋭意研究し、試行錯誤を重ねた結果、プレス成形によってスプーンカット模様を形成した鋼製パネルを玄関ドアに組み付けることを思いつき、この着想を発展させることにより、以降に述べる本発明を完成するに至った。
【０００７】
本発明の玄関ドアは、ドア本体と、断面が略弧状の複数の窪みが並存して形成されたスプーンカット模様の模様部と該ドア本体の表面に当接する組付部とを具備する鋼製の化粧パネルとを備えることを特徴とする。
【０００８】
本発明の玄関ドアは、スプーンカット模様が形成された化粧パネルを備えることにより、高い意匠性を発揮する。特に、この化粧パネルが鋼製であることから、意匠性と共に耐久性や耐火性に優れた玄関ドアを提供することができる。また、該化粧パネルが芯材を具備すれば、化粧パネルの強度が向上し、ドアの開閉時における化粧パネルの制振効果がある。
【０００９】
また、本発明の玄関ドアの製造方法は、最表面に保護層が形成された鋼板をプレス成形して断面が略弧状の複数の窪みが並存して形成されたスプーンカット模様を有する化粧パネルを得る成形工程と、該化粧パネルに芯材を組み付ける芯材組付工程と、該芯材が組み付けられた該化粧パネルをドア本体に組み付けるパネル組付工程とを備えることを特徴とする。
【００１０】
本発明の玄関ドアの製造方法によれば、鋼板をプレス成形して得られたスプーンカット模様の化粧パネルをドア本体に組み付けることにより、高い意匠性、耐久性および耐火性を有する玄関ドアを製造できる。さらに、鋼板の最表面に形成されている保護層により、プレス成形時の金型の圧接による成形加工表面の傷付きが低減される。
【図面の簡単な説明】
【００１１】
【図１】本発明に係る実施例の正面視の写真である。
【図２】その化粧パネルの模様部（スプーンカット模様）を示す写真である。
【図３】図１におけるＡ−Ａ断面図である。
【発明を実施するための形態】
【００１２】
≪化粧パネル≫
鋼板は特に限定されないが、通常亜鉛等で被覆された鋼板に、ポリエステル、塩化ビニル樹脂、アクリル樹脂、またはフッ素樹脂等の樹脂層が形成され、その樹脂層に木目模様の印刷がされてなる。例えば、カラー亜鉛鋼板、塩ビ鋼板、フッ素樹脂被覆鋼板、またはエリオ（登録商標）鋼板等である。若しくは、木目模様が印刷された樹脂製シートやフィルムを鋼板に貼り着けてもよい。
【００１３】
また、最表面に保護層が形成された鋼板を用いれば、プレス成形時の金型の圧接によって木目模様の印刷やシート等が傷付くことを防止できる。保護層は、ポリエチレンや軟質塩化ビニル等を塗布したりフィルムやシートを貼着して形成され得る。
【００１４】
本発明に係る化粧パネルは、鋼板をプレス成形することによって形成され、スプーンカット模様の模様部と、ドア本体の表面と当接する面から成る組付部とを具備する。化粧パネルは複数に分割されてもよい。各化粧パネルの大きさ、分割数及び分割位置は、ドアの全体意匠に応じて適宜決められる。複数の同型の化粧パネルに分割された場合、比較的小型のプレス成形用金型で製造することが可能となる。また、その分割された化粧パネルは、配置自由度が大きく、多種のドアに転用し易い。従って、そのような分割式とすることにより、設備投資を抑制できると共に、各種ドアの製造コストの低減も図ることが可能となる。なお、本明細書では、この保護層が形成された鋼板をプレス成形によって化粧パネルに成形する工程を成形工程という。
【００１５】
≪芯材≫
芯材は化粧パネルに組み付けられて、ドア本体と化粧パネルの間に介在する。化粧パネルの芯材には、セルの集合体であるハニカム構造のコア、ウレタン樹脂、グラスウールまたは不織布等を適宜用いることができる。ハニカム構造コアであれば、紙製、プラスチック製、アルミ等の軽金属製等があるが、化粧パネルと芯材が接する面には複数の凸形状が並存するため、その形状差異を適宜吸収し得る紙製が好適である。さらに紙製のハニカム構造のコアは軽量で低原価であり、加工作業性にも優れる。ハニカム構造のセル形状は、ハニカム（６角）以外にもロール、フェザー、ＯＸ、フレックスまたはバイセクト等から選択できる。
【００１６】
芯材を化粧パネルへ組み付ける方法は適宜選択できるが、ドア開閉時の振動によって化粧パネル内部で芯材が動くと異音の原因となるため、芯材が確実に固定される枠または箱構造等が具備されると好ましい。この芯材を化粧パネルに組み付ける工程を芯材組付工程と呼ぶ。
【００１７】
≪ドア本体≫
本発明にかかるドア本体の構成は限定されず、ドアの構造基体となり家屋に蝶番等を介して建て付けられるものであればよい。ドア本体に化粧パネルを組み付ける手段は、リベット、クリップまたはボルト及びナット等による機械的手段でもよいし、ドア本体のフレームへ溶接してもよい。いずれの組付手段であっても、その組付部を隠すための被覆部材が配設されるとドアの美観が保てるため好ましい。芯材が組み付けられた該化粧パネルを該ドア本体に組み付ける工程をパネル組付工程と呼ぶ。
【００１８】
≪その他≫
本発明に係るスプーンカット模様とは、断面が略弧状の複数の窪みが並存して形成されたものである。その詳細な形態は問わないが、例えば、職人が釿と呼ばれる工具を使って仕上げる伝統的な木材の表面加工であるキッコウ、タテスジ、マルノコ、ノコビキおよびヤバネ等の所謂なぐり加工を現代風にアレンジした表面加工の一種であり、スプーンで木材表面を削り取ったような、断面が略弧状の複数の窪みが並存して形成された模様である。その他には、鋭角な削り跡を活かしたナイフカット模様、ブラッシングと呼ばれる方法により年輪をはっきり浮き出たせた模様または滑らかな波状のハンドスクレイプ模様等がある。本発明に係る化粧パネルには、スプーンカット模様に限らず様々な模様をプレス成形で形成することもできる。
【実施例】
【００１９】
本発明に係る玄関ドアＤの実施例について図を用いて説明する。エリオ鋼板がプレス成形されてなる同型の化粧パネル２１〜２６が６枚組み付けられた実施例の正面視の写真を図１に示す。エリオ鋼板とは、亜鉛めっき鋼板に木目模様が直接印刷され、その最表面に保護フィルムが貼着されたものである。各化粧パネル間にはカバー７が配設されて、化粧パネル２１〜２６のドア本体への組付部が隠されている。
【００２０】
図３の断面図から分かるように、化粧パネル２１〜２６が適宜配設されたリベット５によってドア本体１に組み付けられている。より具体的には、例えば隣り合う化粧パネル２２の組付部と化粧パネル２３の組付部が重なり合って、共にドア本体１にリベット５で組み付けられる。リベット５はクリップ６を具備し、カバー７はクリップ６に勘合して取り付けられる。エリオ鋼板からなる枠構造の芯材受け４が各化粧パネル２１〜２６に接着剤により接着され、さらに紙製ロールコアである芯材３が各芯材受け４と各化粧パネル２１〜２６に接着されて一体となっている。
【００２１】
本実施例で示したように、本発明に係る玄関ドアおよびその製造方法によれば、家屋の玄関ドアに好適な鋼材の性質を持つ、陰影が美しく表情豊かな玄関ドアを提供することができる。
【符号の説明】
【００２２】
Ｄ          玄関ドア
１          ドア本体
２１〜２６  化粧パネル
３          芯材
【図３】
2015200162.tif 000003
【図１】
2015200162.tif 000004
【図２】
2015200162.tif 000005